(57)【要約】【課題】  錠ケースに背面側に設けられた、操作ハンドルと連動して扉を本体ケースに対して開閉するための施錠・解錠部材が容易に破壊されたり、不正に操作されないようにした扉開閉錠を提供する。【解決手段】  操作ハンドル３１の把持部３２が嵌合する嵌合凹部１９の背面と、回動筒２４と一体的に回動する回動制御カム２６及び操作カム２７との間に、遮蔽板３８を配置した。【選択図】      図４
2006266021.tif 000002
【特許請求の範囲】
【請求項１】
容器本体の扉に固定される錠ケースと、
前記錠ケースの前面に形成した嵌合凹部内に配設され、前記扉の施錠及び解錠を操作する操作ハンドルと、
前記錠ケースに設けられ、前記嵌合凹部内に配設された前記操作ハンドルを解錠操作可能にするとともに、前記操作ハンドルの解錠操作とともに前記錠ケースの背面側に設けた施錠・解錠部材を解錠作動させる錠本体と
を備えた扉開閉錠において、
前記錠ケースに設けた前記嵌合凹部の背面と前記施錠・解錠部材との間に、遮蔽板を設けたことを特徴とする扉開閉錠。
【請求項２】
請求項１に記載の扉開閉錠において、
前記遮蔽板は、焼き入れを行った金属板であることを特徴とする扉開閉錠。
【請求項３】
請求項１又は２に記載の扉開閉錠において、
前記遮蔽板は、前記嵌合凹部の背面側に傾斜した当板部を形成したことを特徴とする扉開閉錠。
【請求項４】
請求項３に記載の扉開閉錠において、
前記当板部の傾斜は、前記錠本体から離間するほど、前記嵌合凹部の背面から離間した傾斜であることを特徴とする扉開閉錠。
【請求項５】
請求項１又は２に記載の扉開閉錠において、
前記遮蔽板は、前記嵌合凹部の背面側に、凹部を形成するとともに、その凹部の内側面がドーム状の曲面であって、最も深い部分が、前記遮蔽板の中央位置より前記錠本体から離間した位置にくるように形成したことを特徴とする扉開閉錠。
【発明の詳細な説明】
【技術分野】
【０００１】
本発明は、扉開閉錠に関する。
【背景技術】
【０００２】
従来、自動販売機（以下単に、自販機という。）は、人を介さずに商品を販売できる利便性から２４時間路上に設置されている。そのため、自販機の扉を開閉する扉開閉錠としてのハンドルロック装置には、収容している金銭及び商品の盗難に対して十分な対策を講じる必要がある。
【０００３】
一般に、自販機のロック機構は、容器本体側にフックを設けとともに、扉側に上下方向に移動可能なスライダを設ける。また、スライダにフックの侵入を許容し同スライダを上下動させることによって同フックを掛け止める掛止孔を設ける（例えば、特許文献１）。
【０００４】
そして、扉を開ける時、扉に設けた錠ケースに設けた操作ハンドルをシリンダキーで解錠して操作可能にする。操作可能になった操作ハンドルを回動させると、錠ケースの背面に回動可能に配設された施錠・解錠部材が回動して、スライダを上動させる。そして、スライダの上動に伴ってフックと掛止孔の係合状態が解除して掛止孔からフックを抜ける状態にして扉を手前に引くことによって扉が開く。
【０００５】
反対に、扉を施錠するとき、スライダを上動した状態にして同スライダに設けた掛止孔にフックを侵入させる。そして、完全に扉を閉めた状態で操作ハンドルを操作してスライダを下動させると、フックは掛止孔に係合した状態になる。この状態で、操作ハンドルに設けたシリンダキーをかけて操作ハンドルを操作不能することによって、扉は自販機本体に対してロックされた状態になる。
【０００６】
上記ロック機構では、施錠されている状態で、操作ハンドルは、錠ケースの前面に収容凹部に嵌合配置されている。そして、操作ハンドルをシリンダキーで解錠すると、操作ハンドルが嵌合凹部から前方に飛び出し回動操作可能となる。このとき、嵌合凹部に形成された貫通孔に、ハンドル検出センサが配設されていて、操作ハンドルが嵌合凹部に嵌合配置されているかどうか検出するようになっている。このハンドル検出センサは、施錠されている状態で、操作ハンドルが嵌合凹部に嵌合配置されているため、操作ハンドルによって、見ることはできないようになっている。
【特許文献１】特開平２０００−２０７６２７号広報
【発明の開示】
【発明が解決しようとする課題】
【０００７】
ところで、上記ロック機構では、嵌合凹部に操作ハンドル検出センサを配設するために形成された貫通孔の後方には、錠ケースの背面に回動可能に配設された施錠・解錠部材が臨めるように配置されていた。従って、ドリル等で嵌合凹部に嵌合配置された操作ハンドルを介して、ハンドル検出センサを破壊すると、貫通孔から施錠・解錠部材を破壊した後、治具を使って不正にスライダを上動させてフックと掛止孔の係合状態を解除させることが容易に行なえる問題があった、
本発明は上記問題点を解消するためになされたものであって、その目的は、錠ケースに設けられた、操作ハンドルと連動して扉を本体ケースに対して開閉するための施錠・解錠部材が容易に破壊されたり、不正に操作されないようにした扉開閉錠を提供することにある。
【課題を解決するための手段】
【０００８】
請求項１の発明は、容器本体の扉に固定される錠ケースと、前記錠ケースの前面に形成した嵌合凹部内に配設され、前記扉の施錠及び解錠を操作する操作ハンドルと、前記錠ケースに設けられ、前記嵌合凹部内に配設された前記操作ハンドルを解錠操作可能にするとともに、前記操作ハンドルの解錠操作とともに前記錠ケースの背面側に設けた施錠・解錠部材を解錠作動させる錠本体とを備えた扉開閉錠において、前記錠ケースに設けた前記嵌合凹部の背面と前記施錠・解錠部材との間に、遮蔽板を設けた。
【０００９】
請求項２の発明は、請求項１に記載の扉開閉錠において、前記遮蔽板は、焼き入れを行った金属板である。
請求項３の発明は、請求項１又は２に記載の扉開閉錠において、前記遮蔽板は、前記嵌合凹部の背面側に傾斜した当板部を形成させた。
【００１０】
請求項４の発明は、請求項３に記載の扉開閉錠において、前記当板部の傾斜は、前記錠本体から離間するほど、前記嵌合凹部の背面から離間した傾斜である。
請求項５の発明は、請求項１又は２に記載の扉開閉錠において、前記遮蔽板は、前記嵌合凹部の背面側に、凹部を形成するとともに、その凹部の内側面がドーム状の曲面であって、最も深い部分が、前記遮蔽板の中央位置より前記錠本体から離間した位置にくるように形成した。
【発明の効果】
【００１１】
請求項１の発明によれば、遮蔽板を、嵌合凹部の背面と施錠・解錠部材との間に設けたので、例えば、ドリル等で嵌合凹部に穴が開けられ、その穴を介して施錠・解錠部材を治具で破壊又は不正に操作しようとしても、遮蔽板がその治具の侵入を阻止する。
【００１２】
請求項２の発明によれば、遮蔽板は、焼き入れを行った硬い金属板であることから、ドリル等によって容易に穴を開けられることはない。
請求項３の発明によれば、遮蔽板に傾斜した当板部を形成したことから、ドリル等で穴を開けようとしても、ドリルの先が当板部の面に対して滑ってしまい、ドリルが当板部に対して食い付きが悪くなり、容易に穴を開けることができない。
【００１３】
請求項４の発明によれば、当板部に、万が一、穴が開けられても、穴の向きは錠本体、即ち、施錠・解錠部材から離間する向きに形成されることから、治具を不正に使って施錠・解錠部材を破壊したり、不正に操作することはできない。
【００１４】
請求項５の発明によれば、遮蔽板に，凹部を形成し、その凹部の内側面がドーム状の曲面であって、最も深い部分が、遮蔽板の中央位置より前記錠本体から離間した位置にくるように形成したことから、ドリル等で穴を開けようとしても、ドリルの先が当板部の面に対して滑ってしまい、ドリルが当板部に対して食い付きが悪くなり、容易に穴を開けることができない。しかも、凹部に、万が一、穴が開けられても、穴の向きは錠本体、即ち、施錠・解錠部材から離間する向きに形成されることから、治具を不正に使って施錠・解錠部材を破壊したり、不正に操作することはできない。
【発明を実施するための最良の形態】
【００１５】
（第１実施形態）
以下、本発明を具体化した第１実施形態を図１〜図６に従って説明する。図１は自動販売機（以下単に、自販機という。）の全体斜視図である。図２はハンドルロック装置の正面図、図３はハンドルロック装置の背面図、図４はハンドルロック装置の一部側断面図である。
【００１６】
図１に示すように、自販機１０は、金銭及び商品を収納する容器本体としての本体ケース１１を備え、その本体ケース１１に対して扉１２が取付けられている。扉１２は、本実施形態では片開きの扉であって、本体ケース１１の開口部一側（左側）に設けられるヒンジＨを介して開閉可能に連結されている。扉１２は、前面板１３を備え、その前面板１３の正面右側には、扉開閉錠としてのハンドルロック装置１５が配設されている。
【００１７】
図２〜図５に示すように、ハンドルロック装置１５には、錠ケース１６が備えられている。錠ケース１６は、小判形状に形成した金属部材からなる基板１７を有し、同基板１７の外周部をフランジ部１８としている。基板１７の正面には背面側に向かって嵌合凹部１９が凹設されている。また、小判形状の基板１７の背面の外周部であってフランジ部１８の内側には、外筒２０が延出形成されている。外筒２０の背面の６箇所（上段部、中段部及び下段）には、６本の雌ねじ２１が形成されている。
【００１８】
そして、錠ケース１６を、扉１２の前面板１３に貫通形成した開口部１３ａを前面から貫挿し、同開口部１３ａの開口縁と錠ケース１６のフランジ部１８と係合させる。続いて、前面板１３の背面に基端部が連結固定された支持フレームＦの先端連結固定片Ｆａを介して雄ネジ２２を、外筒２０の雌ねじ２１に螺着することによって、錠ケース１６は前面板１３（扉１２）に固定されている。
【００１９】
前記嵌合凹部１９の底部１９ａ上側半分には、貫通穴が形成され、その貫通穴と連通する内筒２３が背面側に向かって突設されている。内筒２３には、回動筒２４が回動可能に収容されている。回動筒２４は、有底状に形成される円筒であって、内筒２３の軸心を中心軸Ｃとして回動可能に遊挿されている。また、回動筒２４は内筒２３の背面側から抜け出ないように、内筒２３の内周面と回動筒２４の外周面には、それぞれ係合部２３ａ，２４ａが形成されている。
【００２０】
図４及び図５に示すように、その回動筒２４の底部２４ｂには、背面側に向かって突出する一対の位置決め突起２５が突出形成されている。位置決め突起２５は、背面に回動制御カム２６と操作カム２７が配設され、両カム２６，２７をネジ２８にて固定している。
【００２１】
回動制御カム２６は、内筒２３に当接し内筒２３内への移動が規制されるようになっている。しかも、回動制御カム２６は、図３に示すように、その外周面に係止片２６ａが形成され、内筒２３の形成した係止突起２３ｂと係合して、内筒２３に対して回動制御カム２６（回動筒２４及び操作カム２７）の回動を制御する。すなわち、回動筒２４の回動範囲を、扉１２を施錠する位置（施錠位置）と、同施錠位置から回動して扉１２を解錠する位置（解錠位置）との間に回動を規制する。
【００２２】
施錠・解錠部材を構成する操作カム２７は、略楕円盤状に形成される板カムであって、前記回動制御カム２６と共に回動する。この操作カム２７は、本体ケース１１側に設けた図示しないスライダ等のロック機構に連結され、解錠位置に回転することによって、そのロック機構のロック状態を解除し、扉１２を開扉可能にするようになっている。
【００２３】
図４に示すように、前記回動筒２４及び嵌合凹部１９内には、ハンドルを構成する操作ハンドル３１が収容されている。詳述すると、操作ハンドル３１は、嵌合凹部１９と略同じサイズで形成された板状の把持部３２を備え、同嵌合凹部１９に把持部３２が嵌合するようになっている。
【００２４】
操作ハンドル３１の前記回動筒２４と相対向する位置には、背面側（回動筒２４内）に突出する有底状のシリンダ収容筒３３が凹設されている。シリンダ収容筒３３内には、錠本体としての公知のシリンダ錠３４が引抜き不能に収容されている。シリンダ錠３４は、
図２に示すように、その鍵穴３４ａを操作ハンドル３１の正面に露出するように収容されている。
【００２５】
そして、把持部３２（操作ハンドル３１）が、図４に示すように、嵌合凹部１９に収容されている状態で、シリンダ錠３４の鍵穴３４ａに所定のキーを差し込み解錠方向に回すと、同シリンダ錠３４が解錠するようになっている。シリンダ錠３４が解錠すると、シリンダ収容筒３３（操作ハンドル３１）が回動筒２４とシリンダ収容筒３３の間に設けた図示しないスプリングにて、図５に示すように、嵌合凹部１９から突出する。しかも、シリンダ収容筒３３は、回動筒２４（回動制御カム２６及び操作カム２７）と共に内筒２３に対して周方向に沿った回動が可能となる。すなわち、操作ハンドル３１を回動させて、スライダ等のロック機構のロック状態を解除して、扉１２を手前に開くことが可能となる。
【００２６】
また、把持部３２（操作ハンドル３１）を嵌合凹部１９に図示しないスプリングに抗して押し込みながら、シリンダ錠３４の鍵穴３４ａに所定のキーを差し込み同キーを施錠方向に回すと、同シリンダ錠３４が施錠する。これによって、シリンダ収容筒３３（操作ハンドル３１）は、回動筒２４（回動制御カム２６及び操作カム２７）と共に内筒２３に対して周方向に沿った回動が不能となる。
【００２７】
前記嵌合凹部１９の底部１９ａ下側中央位置にはセンサ収容穴３６が貫通形成されている。センサ収容穴３６には、背面から同収容穴３６に操作ハンドル３１の把持部３２が嵌合凹部１９に収容されているかどうかを検出する図示しないセンサが貫挿される。詳述すると、センサは、操作ハンドル３１が、図５に示すように、嵌合凹部１９から突出（離間）することのよってシリンダ錠３４が解錠状態にあることを検知する。また、センサは、把持部３２（操作ハンドル３１）が、図４に示すように、嵌合凹部１９に収容されていることによって、シリンダ錠３４が施錠状態にあることを検知する。
【００２８】
嵌合凹部１９の底部１９ａに形成したセンサ収容穴３６の後方であって、外筒２０とその外筒２０内に形成された内筒２３とで構成された空間Ｓを閉塞するように、遮蔽板３８が図３に２点鎖線で示すように、前記支持フレームＦの先端連結固定片Ｆａとともに雄ネジ２２（中段及び下段の雄ネジ２２）にて外筒２０に固着されている。遮蔽板３８は、回動筒２４と一体的に回動する回動制御カム２６よりも、扉１２側に配置されている。遮蔽板３８は、図６に示すように、貫通孔３９が形成されている。遮蔽板３８は、貫通孔３９を外筒２０に形成した雌ねじ２１に位置合わせし、雄ネジ２２を雌ねじ２１に螺着することによって支持フレームＦとともに外筒２０に固着される。
【００２９】
遮蔽板３８は、本実施形態では、例えば焼入れ等を行った硬い金属で形成されていて、容易にドリル等で穴を開けることができない金属板である。従って、例えば、図４に示す矢印方向から、ドリルＤで、嵌合凹部１９に形成したセンサ収容穴３６に目掛けて操作ハンドル３１（把持部３２）に不正に穴を開けると、センサ収容穴３６に配設した図示しないセンサを容易に破壊されドリルＤは容易に空間Ｓに到達する。そして、この不正に開けられた穴から、治具を用いて、回動筒２４と一体的に回動する回動制御カム２６、操作カム２７、または、操作カム２７に連結された図示しない施錠・解錠部材を構成するその他の部材を破壊しようとしても、遮蔽板３８がその侵入を阻止するため、破壊されることはない。
【００３０】
しかも、遮蔽板３８は、本実施形態では、硬い金属板でできているため、遮蔽板３８をドリルＤで穴を開けたり、破壊することは容易にできない。従って、遮蔽板３８をドリルＤで穴を開けたり、破壊した後、治具を用いて回動筒２４と一体的に回動する回動制御カム２６、操作カム２７、操作カム２７に連結されたその他の部材を破壊することも容易にできないことになる。
【００３１】
従って、本実施形態によれば以下のような効果を得ることができる。
（１）本実施形態によれば、錠ケース１６に設けた嵌合凹部１９の背面と、回動筒２４と一体的に回動する回動制御カム２６、操作カム２７との間に、遮蔽板３８を設けた。
【００３２】
従って、図４に示す矢印方向から、ドリルＤで、嵌合凹部１９に形成したセンサ収容穴３６に目掛けて操作ハンドル３１（把持部３２）に不正に穴が開けられるととともに、センサ収容穴３６に配設した図示しないセンサが破壊されると、これら穴を介して治具を用いて、穴の先にある回動筒２４と一体的に回動する回動制御カム２６、操作カム２７、操作カム２７に連結されたその他部材等が破壊される虞が生じる。しかし、遮蔽板３８がその侵入を阻止するため、回動制御カム２６や操作カム２７と連動して本体ケース１１側の設けた図示しないスライダを不正に上動させて扉１２が開けられてしまうことを未然に防止することができる。
【００３３】
（２）また、本実施形態によれば、遮蔽板３８は、ドリルＤでは容易に穴を開けたり、破壊することもできない硬い金属板で形成した。従って、遮蔽板３８をドリルＤで穴を開けたり、破壊することが容易にできない。その結果、遮蔽板３８をドリルＤで穴を開けたり、破壊したりした後に、治具を用いて回動筒２４と一体的に回動する回動制御カム２６、操作カム２７、操作カム２７に連結されたその他の部材を破壊することも容易にできない。
【００３４】
（３）しかも、本実施形態によれば、遮蔽板３８は、錠ケース１６を前面板１３（扉１２）に固定する際に、支持フレームＦの先端連結固定片Ｆａとともに雄ネジ２２にて外筒２０の雌ねじ２１に螺着することによって取り付けられる。従って、構造が簡単で組み付けも非常に簡単に行える。しかも、遮蔽板３８以外に特別な部品も必要としないため、既存の自販機にも容易に組み付けることができる。
【００３５】
（第２実施形態）
本実施形態では、第１実施形態で説明した遮蔽板３８が相違するだけなので、相違する点を図７及び図８に従って詳述し、その他の構成は説明の便宜上省略する。
【００３６】
図７は、本実施形態の遮蔽板を示す斜視図、図８はその遮蔽板を取り付けた状態を示すハンドルロック装置を示す概略側断面図である。
図７において、遮蔽板４０は、その外形は前記第１実施形態の遮蔽板３８と同じ外形（図６参照）をなすとともに、第１実施形態の遮蔽板３８と同様に、貫通孔４１が形成されている。遮蔽板４０は、この貫通孔４１に雄ネジ２２が貫挿され、同雄ネジ２２を雌ねじ２１に螺着することによって、第１実施形態と同様に、外筒２０に固着される。
【００３７】
遮蔽板４０は、その上側の左右段差部から下方に向かって切り込み形成され、その左右切り込み間の部位が、折り曲げ形成されて当板部４２としている。そして、遮蔽板４０を外筒２０に固着する際、図８に示すように、当板部４２が空間Ｓ内に介在するように配設されるとともに、当板部４２の嵌合凹部１９側の面４２ａが上から下に向かうほど、嵌合凹部１９の背面から離間する方向に傾斜するように配置されている。
【００３８】
また、遮蔽板４０は、第１実施形態と同様に、焼入れ等を行った硬い金属で形成されていて、容易にドリル等で穴を開けることができない金属板である。
従って、本実施形態によれば以下のような効果を得ることができる。
【００３９】
（１）本実施形態によれば、錠ケース１６に設けた嵌合凹部１９の背面と、回動筒２４と一体的に回動する回動制御カム２６、操作カム２７との間に、遮蔽板４０を設けた。
従って、第１実施形態と同様に、遮蔽板４０が治具の侵入を阻止するため、回動制御カム２６、操作カム２７、操作カム２７に連結されたその他の部材と連動して本体ケース１１側の設けた図示しないスライダを不正に上動させて扉１２が開けられてしまうことを未然に防止することができる。
【００４０】
（２）また、本実施形態によれば、遮蔽板４０は、折り曲げ形成して当板部４２が形成され、その当板部４２の嵌合凹部１９側の面４２ａが上から下に向かうほど、嵌合凹部１９の背面から離間する方向に傾斜するように配置した。
【００４１】
従って、ドリルＤが遮蔽板４０の当板部４２に穴を開けようとするとき、当板部４２の面４２ａが傾斜しているため、ドリルＤの先が滑ってしまい、所謂、食い付きが悪くなり、穴を簡単に開けることができない。
【００４２】
また、万が一、穴が開けられたとしても、当板部４２の面４２ａが傾斜していることから、その穴の方向は、斜め下方に向かって、即ち、回動筒２４（回動制御カム２６、操作カム２７、操作カム２７に連結されたその他部材等）から離間していく方向となることから、治具を使って、該穴を介して回動制御カム２６、操作カム２７、その他部材等を破壊することはできない。
【００４３】
（３）しかも、本実施形態によれば、第１実施形態と同様に、遮蔽板４０は、錠ケース１６を前面板１３（扉１２）に固定する際に、支持フレームＦの先端連結固定片Ｆａとともに雄ネジ２２にて外筒２０の雌ねじ２１に螺着することによって取り付けられる。従って、構造が簡単で組み付けも非常に簡単に行える。しかも、遮蔽板４０以外に特別な部品も必要としないため、既存の自販機にも容易に組み付けることができる。
【００４４】
（第３実施形態）
本実施形態では、第１実施形態及び第２実施形態で説明した遮蔽板３８，４０が相違するだけなので、相違する点を図９及び図１０に従って詳述し、その他の構成は説明の便宜上省略する。
【００４５】
図９は、本実施形態の遮蔽板を示す斜視図、図１０はその遮蔽板を取り付けた状態を示すハンドルロック装置を示す概略側断面図である。
図９において、遮蔽板４６は、その外形は前記第１実施形態の遮蔽板３８と同じ外形（図６参照）をなすとともに、第１実施形態の遮蔽板３８と同様に、図示しない４個の貫通孔が形成されている。遮蔽板４６は、この貫通孔に雄ネジ２２が貫挿され、雌ねじ２１に螺着することによって、第１実施形態と同様に、外筒２０に固着される。
【００４６】
遮蔽板４６は、その４個の貫通孔で囲まれる中央部分が凹設されて凹部４７が形成されている。凹部４７はその正面形状が上下方向が長い楕円形状の凹部である。また、凹部４７は、その内側面はドーム状の曲面であって、最も深い部分が、図１０に示すように、中央位置ではなく下側に偏倚した位置にくるように形成されている。つまり、凹部４７の最深部４７ａは、凹部４７の上下方向における中間位置よりも、回動筒２４（回動制御カム２６、操作カム２７等）から離間する下方位置に形成されている。
【００４７】
そして、遮蔽板４６を外筒２０に固着する際、図１０に示すように、凹部４７が空間Ｓに向くように配設されるとともに、凹部４７の最深部４７ａが回動筒２４（回動制御カム２６、操作カム２７等）から離間するように配置されている。
【００４８】
また、遮蔽板４６は、第１実施形態と同様に、焼入れ等を行った硬い金属で形成されていて、容易にドリル等で穴を開けることができない金属板である。
従って、本実施形態によれば以下のような効果を得ることができる。
【００４９】
（１）本実施形態によれば、錠ケース１６に設けた嵌合凹部１９の背面と、回動筒２４と一体的に回動する回動制御カム２６、操作カム２７との間に、遮蔽板４６を設けた。
従って、第１及び第２実施形態と同様に、遮蔽板４６が治具の侵入を阻止するため、回動制御カム２６や操作カム２７と連動して本体ケース１１側の設けた図示しないスライダを不正に上動させて扉１２が開けられてしまうことを未然に防止することができる。
【００５０】
（２）また、本実施形態によれば、遮蔽板４６に、凹部４７を形成し、その凹部４７の内側面がドーム状の曲面であって、最も深い部分が、遮蔽板４６の中央位置ではなく下側に偏倚した位置にくるように形成した。そして、遮蔽板４６を、凹部４７が空間Ｓに向くように配設されるとともに、凹部４７の最深部４７ａが回動筒２４（回動制御カム２６、操作カム２７等）から離間するように配置した。
【００５１】
従って、ドリルＤが遮蔽板４６（凹部４７）に穴を開けようとするとき、凹部４７の内側面が最深部４７ａに向かって傾斜しているため、ドリルＤの先が滑ってしまい、所謂、食い付きが悪くなり、穴を簡単に開けることができない。
【００５２】
また、万が一、穴が開けられたとしても、凹部４７の内側面が最深部４７ａに向かって傾斜していることから、その穴の方向は、斜め下方に向かって、即ち、回動制御カム２６、操作カム２７、操作カム２７に連結されたその他の部材から離間していく方向となることから、治具を使って、該穴を介して回動制御カム２６、操作カム２７、その他の部材等を破壊することはできない。
【００５３】
（３）しかも、本実施形態によれば、第１及び第２実施形態と同様に、遮蔽板４６は、錠ケース１６を前面板１３（扉１２）に固定する際に、支持フレームＦの先端連結固定片Ｆａとともに雄ネジ２２にて外筒２０の雌ねじ２１に螺着することによって取り付けられる。従って、構造が簡単で組み付けも非常に簡単に行える。しかも、遮蔽板４６以外に特別な部品も必要としないため、既存の自販機にも容易に組み付けることができる。
【００５４】
尚、上記実施形態は以下のように変更してもよい。
・第２実施形態では、遮蔽板４０は、第１実施形態と同様に、焼入れ等を行った硬い金属で形成されていて、容易にドリルＤで穴を開けることができない金属板で形成した。これを、硬い金属板でなく、当板部４２が、ドリルＤが当たると撓むように形成し、撓むことによって穴が開けられないように構成しもよい。
・第１実施形態では、遮蔽板３８は１枚配設したが、これを複数枚重ね合わせて配設してもよい。
・また、第１実施形態の遮蔽板３８と第２実施形態の遮蔽板４０を重ね合わせて実施してもよい。
・さらに、第１実施形態の遮蔽板３８と第３実施形態の遮蔽板４６を重ね合わせて実施してもよい。
・さらにまた、第２実施形態の遮蔽板４０と第３実施形態の遮蔽板４６を重ね合わせて実施してもよい。
・上記実施形態では、扉開閉錠を自販機の扉に取付けるハンドルロック装置に具体化したが、これに限定されるものではなく、扉を開閉する容器に取付けるものであれば何でもよい。
・上記実施形態では、錠ケース１６の嵌合凹部１９にセンサ収容穴３６を設けた錠ケースに具体化したが、嵌合凹部１９にセンサ収容穴３６を設けていない錠ケースに具体化してもよい。
【図面の簡単な説明】
【００５５】
【図１】第１実施形態を説明するための自動販売機を示す全体斜視図。
【図２】同じく、ハンドルロック装置を示す正面図。
【図３】同じく、ハンドルロック装置を示す背面図。
【図４】同じく、施錠状態のときのハンドルロック装置を示す概略側断面図。
【図５】同じく、解錠状態のときのハンドルロック装置を示す概略側断面図。
【図６】同じく、遮蔽板を示す正面図。
【図７】第２実施形態を説明するための遮蔽板の斜視図。
【図８】同じく、ハンドルロック装置を示す概略側断面図。
【図９】第２実施形態を説明するための遮蔽板の斜視図。
【図１０】同じく、ハンドルロック装置を示す概略拡大背面図。
【符号の説明】
【００５６】
１０…自動販売機、１１…容器本体としての本体ケース、１２…扉、１５…扉開閉錠としてハンドルロック、１５…ハンドルロック装置、１６…錠ケース、１９…嵌合凹部、２０…外筒、２１…雌ネジ、２２…雄ネジ、２３…内筒、２４…回動筒、２７…施錠・解錠部材を構成する操作カム、３１…操作ハンドル、３４…シリンダ錠、３６…センサ収容穴、３８，４０，４６…遮蔽板、４２…当板部、４７…凹部、４７ａ…最深部。
【図１】
2006266021.tif 000003
【図２】
2006266021.tif 000004
【図３】
2006266021.tif 000005
【図４】
2006266021.tif 000006
【図５】
2006266021.tif 000007
【図６】
2006266021.tif 000008
【図７】
2006266021.tif 000009
【図８】
2006266021.tif 000010
【図９】
2006266021.tif 000011
【図１０】
2006266021.tif 000012